(57)【要約】【課題】大略平行に並ぶ複数の線が途切れたり濃淡があったりするように見え、微細パターンの深みのある不均一なヘアラインを安定した品位で、簡単に得ることができる加飾シートと、その加飾シートを備える加飾成形体の提供。【解決手段】加飾印刷層１２の裏面側で積層する加飾印刷層１３の縞状パターンが、加飾印刷層１２の縞状パターンを通して見え隠れし、線が途切れたり、太さが変わったりして見えるとともに、濃淡の差を視認することができる。よって微細パターンで不均一に見える深みのあるヘアライン加飾を実現できる。また加飾印刷層１２，１３は印刷形成されたものであるため、エアー巻き込みによる品位の低下を防止することができる。【選択図】図２
2008030266.tif 000002
【特許請求の範囲】
【請求項１】
基材シートに、縞状パターンで構成される２以上の加飾印刷層を備えており、一の加飾印刷層を構成する縞状パターンが、他の加飾印刷層を構成する縞状パターンと平面視で交差して積層している加飾シート。
【請求項２】
２以上の加飾印刷層が隣接して積層している請求項１記載の加飾シート。
【請求項３】
２以上の加飾印刷層が、同一の縞状パターンでなる請求項１または請求項２記載の加飾シート。
【請求項４】
所定の線幅から任意に選択された線幅を有する複数の線が、所定の線間隔から任意に選択された間隔をあけて前記縞状パターンを形成している請求項１〜請求項３何れか１項記載の加飾シート。
【請求項５】
前記線幅が３０μｍ〜１００μｍであり、前記線間隔が４０μｍ〜１８０μｍである請求項４記載の加飾シート。
【請求項６】
互いに交差する縞状パターンの交差角度が、０．１°〜３．０°である請求項１〜請求項５何れか１項記載のキーシート。
【請求項７】
加飾印刷層が透光性を有する請求項１〜請求項６何れか１項記載の加飾シート。
【請求項８】
積層する加飾印刷層の裏面側に反射層を備える請求項１〜請求項７何れか１項記載の加飾シート。
【請求項９】
請求項１〜請求項８何れか１項記載の加飾シートを成形体の外形面に備える加飾成形体。
【発明の詳細な説明】
【技術分野】
【０００１】
本発明は、ヘアライン模様を有する加飾シート及び加飾成形体に関する。
【背景技術】
【０００２】
電子機器の外装部品には、デザイン価値を高めるために様々な加飾が施してあり、その加飾の一つにヘアライン模様やスクラッチ模様と呼ばれる模様（以下「ヘアライン」ともいう。）がある。ヘアラインはアルミニウムなどの金属表面に多数の微細な線を彫り込んで形成される。このヘアラインを金属加工より低コストで実現するために、樹脂成形体にヘアライン加工を施した加飾成形体の技術が知られている。
【０００３】
その加工方法は、例えば特開２００３−１０９４５０号公報（特許文献１）に記載される技術を利用するものである。即ち、樹脂成形体の表面に予め凹凸パターンを形成しておき、凹凸が形成された樹脂成形体にホットスタンプ箔を転写することで、凹凸で形取られたデザインを形成し、ヘアーライン加飾を行うものである。
【特許文献１】特開２００３−１０９４５０号公報
【発明の開示】
【発明が解決しようとする課題】
【０００４】
ところが、樹脂成形体に凹凸パターンを形成しホットスタンプ箔を転写する方法は、転写の対象が凹凸面であるため、樹脂成形体とホットスタンプ箔の界面にエアーを巻き込んで品位が損なわれるおそれがあった。また、こうした凹凸パターンは、樹脂成形金型のキャビティー面に凹凸パターンを施して樹脂を形成したり、凹凸パターンを施した治具を刻印したりして形成されるため、樹脂成形体の表面に微細な凹凸パターンを形成することが困難であった。
【０００５】
また、従来のヘアラインは、平行な複数の直線が等間隔に並んだ均一な模様でなり、デザインとしては面白みに欠けるものであった。
【０００６】
以上のような従来技術を背景になされたのが本発明である。すなわち本発明の目的は、平行な複数の直線が等間隔に並んだような均一なヘアラインではなく、大略平行に並ぶ複数の線ではあるが、線が途切れたり濃淡があったりするように見え、微細パターンの深みのある不均一なヘアラインを安定した品位で、簡単に得ることができる加飾シートと、その加飾シートを備える加飾成形体を提供することにある。
【課題を解決するための手段】
【０００７】
上記目的を達成すべく本発明は以下のように構成される。すなわち本発明は、基材シートに、縞状パターンで構成される２以上の加飾印刷層を備えており、一の加飾印刷層を構成する縞状パターンが、他の加飾印刷層を構成する縞状パターンと平面視で交差して積層している加飾シートを提供する。
【０００８】
本発明では、加飾印刷層どうしの縞状パターンが平面視で交差するように、これら加飾印刷層を積層してある。このため裏面側で積層する加飾印刷層の縞状パターンが、表面側で積層する加飾印刷層の縞状パターンを通して見え隠れし、深みのあるヘアラインを有する加飾シートとすることができる。ここで、「縞状パターン」は複数の直線又は曲線が互いに交わらずに描かれているものである。
【０００９】
加飾印刷層は印刷形成されたものであるため、従来技術のような凹凸パターン面にホットスタンプ箔を転写したものと異なり、エアー巻き込みによる品位の低下を防止することができる。また、基材シートに凹凸を付するものではないので、加工が容易である。
【００１０】
また印刷形成による加飾印刷層はミクロンオーダーの縞状パターンを構成するため、従来技術のような樹脂成形体に形成する凹凸パターンより微細なパターンを実現できる。
【００１１】
この加飾シートは、加飾印刷層が透明層を介して間接積層したものとすることができる。このため加飾印刷層どうしの縞状パターンが混じり合ことを防止でき、加飾印刷層の縞状パターンを潰れ難くすることができる。よって縞状パターンを明確に視認でき、見映えの良いヘアラインを形成することができる。また、２以上の加飾印刷層が透明層を介していれば、立体的に交差する縞状パターンを視認することができる。よって奥行き方向に凹凸観のあるヘアラインを実現することができる。そして、基材シート自体を透明層とすることができる。換言すれば、基材シートの表裏面に加飾印刷層を備えることができ、別途透明層を設けるための製造工程やコストの削減ができる。
【００１２】
２以上の加飾印刷層は基材シートや透明層上に印刷形成するため、平坦面に加飾印刷層を印刷することができ、安定した品位の加飾印刷層を設けることができる。そのため、従来技術のような凹凸パターン面にホットスタンプ箔を転写したものと異なり、エアー巻き込みによる品位の低下を防止することができる。
【００１３】
本発明は、２以上の加飾印刷層が隣接して積層している加飾シートとすることができる。すなわち、２以上の加飾印刷層が他の層を介さずに直接積層しているものとすることができる。２以上の加飾印刷層が隣接して積層している加飾シートとすれば、２以上の加飾印刷層を隔てる余分な層を設ける必要がなく、印刷工程数の削減、低コスト化を実現できる。２以上の加飾印刷層の隣接積層には、縞状パターンの滲みを排除するため、チキソ性の高いインキを用いることが好ましい。例えば、シリカなどの粉末やワックスをインキに添加してチキソ性を高めることが可能である。
【００１４】
加飾シートを構成する２以上の加飾印刷層については、同一の縞状パターンを有するものとすることができる。２以上の加飾印刷層について同一の縞状パターンでなるものとしたため、一の縞状パターンを作成するだけで足り、縞状パターンの作成が簡単かつ容易である。そして、一の縞状パターンであっても該縞状パターンを交差して積層したため、深みのあるヘアラインを形成することができる。
【００１５】
また、２以上の加飾印刷層が異なる縞状パターンでなるものとすることもできる。異なる縞状パターンとすれば、よりランダムな模様とすることができ、不均一なヘアラインを視認することができる。
【００１６】
縞状パターンは、所定の線幅から任意に選択された線幅を有する複数の線が、所定の線間隔から任意に選択された間隔をあけて形成しているものとすることができる。所定の線幅から任意に選択された線幅を有する複数の線が、所定の線間隔から任意に選択された間隔をあけて形成しているため、単調で均一なヘアラインでなく、大略平行に並ぶ複数の線でなるヘアラインであるが、不均一で変化があり、面白みのあるヘアラインとなる。
【００１７】
ここでいう所定の線幅とは、３０μｍ〜１００μｍの範囲内の線幅であり、所定の線間隔とは、４０μｍ〜１８０μｍの範囲内の線間隔である。こうした線幅、線間隔の範囲内で複数の線を配列することでヘアラインを形成するからである。
【００１８】
２以上の加飾印刷層を構成する２以上の縞状パターンは、所定の角度をもって交差して積層しており、その交差角度が、０．１°〜３．０°である。この範囲であれば、平行な複数の直線の繰り返しでなる単調なヘアラインでなく、また、モアレが生じない程度の深みのあるヘアラインを形成するからである。すなわち、交差角度が０．１°より小さいと重なる縞状パターンが略平行となって２以上の加飾印刷層が見え隠れする重なり効果が生ぜず、３．０°を超えると縞状パターンが網目状に見えモアレを生じてしまう。より好ましい交差角度は０．６°〜２．３°である。
【００１９】
加飾印刷層は透光性を有するものとすることができる。透光性とすれば、表面側に積層する加飾印刷層を通して裏面側に積層する加飾印刷層を視認できる。このため２以上の縞状パターンの交差による縞状パターンの濃淡の発生を明確に視認でき、ヘアラインの凹凸観を高めることができる。着色されていても透光性を有する加飾印刷層とすることができる。
【００２０】
加飾印刷層は光沢を有するものとすることができる。加飾印刷層が光沢を有するものであると、２以上の縞状パターンの交差する部分としない部分との濃淡がより強調され、凹凸感に優れたヘアラインを有する加飾シートとすることができる。
【００２１】
加飾シートは、積層する加飾印刷層の裏面側に反射層を備えるものとすることができる。反射層を備えれば、積層する２以上の加飾印刷層を裏面側から明るく照らし出すことができ、金属調の外観を表出することができる。よって金属調のヘアラインを実現できる。
【００２２】
加飾シートを構成する基材シートは、艶消し調とすることができる。基材シートを艶消し調とすれば、基材シートの表面で光を乱反射させることができ、加飾シートの質感を高めることができる。
【００２３】
さらに本発明は、上記何れかの加飾シートを成形体の外形面に備える加飾成形体を提供する。上記何れかの加飾シートを成形体の外形面に備えるため、高品位で微細な縞状パターンを有し、面白みのあるヘアライン加飾を有する加飾成形体を実現できる。
【発明の効果】
【００２４】
本発明の加飾シート及び加飾成形体によれば、大略平行に並ぶ複数の線でなるいわゆるヘアライン模様ではあるが、線が途切れたり濃淡があったり傾いたりするように見え、不均一な深みのあるヘアライン模様を有するデザインが具現化できる。
【発明を実施するための最良の形態】
【００２５】
以下、本発明の実施形態について図面を参照しつつ説明する。なお、各実施形態で共通する部材、材質、構成、製造方法、作用効果については重複説明を省略する。
【００２６】
第１実施形態〔図１〜図６〕：  第１実施形態の加飾シート１１の一例を図１及び図２に示す。図１は加飾シート１１の平面図と底面図、図２は加飾シート１１の断面図を示す。第１実施形態の加飾シート１１は、透明な樹脂フィルムでなる基材シート１の裏面に第１加飾印刷層１２、透明層１５、第２加飾印刷層１３がこの順に積層している。すなわち本実施形態では、第１加飾印刷層１２と第２加飾印刷層１３との間に透明層１５を挟んでおり、第１加飾印刷層１２と第２加飾印刷層１３とは間接的に積層している。
【００２７】
第１加飾印刷層１２は、互いに略平行な複数の線で構成される縞状パターンである。略平行とは模様を構成する範囲内で隣接する線が交わらない範囲にあることをいう。この縞状パターンを構成する複数の線の線幅は同一であっても良い。また異なっていても良い。隣接する線間の線間隔は同一であっても良い。また異なっていても良い。一の線においてその線幅は均一であっても良い。また均一でなくても良い。さらに、一の線は断点のある鎖線状であっても良い。また断点が無くても良い。好ましくは異なる複数の線幅や線間隔が組み合わされてなるものが良い。但し、線幅、線間隔、線ピッチは所定の範囲内にあることが必要である。ここで「線幅」とは一の線の太さをいう。「線間隔」とは一の線の外縁から隣接する他の線の外縁までの長さ、即ち線自体の太さを含まない線と線との間の間隔である。「線ピッチ」とは一の線の中心から隣接する他の線の中心までの長さ、即ち隣接する直線の中心間の距離である。
【００２８】
縞状パターンを構成する各線の線幅は３０μｍ〜１００μｍであることが好ましく、隣接する線間の間隔は４０μｍ〜１８０μｍであることが好ましい。線幅が３０μｍより小さいと線を視認し難くなるためヘアラインと認めにくくなる。線幅が１００μｍを超えると縞状にならずに、ヘアラインと認めにくくなる。また、線間隔が４０μｍより短いと上下に重なる縞状パターンの重なりが見えにくくなり、深みのあるヘアラインが得られない。線間隔が１８０μｍを超えるとヘアラインを視認しにくくなる。よって、線ピッチは７０μｍ〜２８０μｍが好ましく、１１０μｍ〜２３０μｍがより好ましい。
【００２９】
第２加飾印刷層１３も縞状パターンでなるが、その縞状パターンは、第１加飾印刷層１２と同一であっても良い。また異なっていても良い。しかし、同一パターンにすれば縞状パターンを１通り作成するだけで手数が少なく、不均一なヘアラインを得られるため好ましい。図３では、第１加飾印刷層１２と第２加飾印刷層１３との交差した状態を模式的に示すが、第１加飾印刷層１２を構成する縞状パターンと第２加飾印刷層１３を構成する縞状パターンが所定の角度θ１で交差している。
【００３０】
第１加飾印刷層１２の縞状パターンと第２加飾印刷層１３の縞状パターンの交差角度は０．１°〜３．０°であることが好ましい。縞状パターンが重なることで、単調な平行線の連続でなるヘアラインではなく、大略一方向に向かう複数の直線ではあるが、線が途切れたり濃淡があったり傾いたりするように見え、不均一で深みのあるヘアラインが得られるからである。交差角度が０．１°よりも小さいと単調な平行線の連続であるヘアラインに見えてしまい、３．０°を超えるとモアレが生じたり、およそヘアラインとは呼べないような格子模様が生じてしまう。
【００３１】
図１及び図２で示した加飾シート１１は、第１加飾印刷層１２の縞状パターンと第２加飾印刷層１３の縞状パターンが、共に同じ太さで等間隔に並んだ直線で構成される同一縞状パターンからなり、両縞状パターンが角度３．０°で交差している例である。
【００３２】
図１で示す加飾シート１１の変形例を図４と図５に示す。図１に示す加飾シート１１は、その縞状パターンが同一の線幅の直線が同一の線間隔で並んでなるものであったが、図４に示す加飾シート２１は、３種の線幅と１種の線間隔によって構成される縞状パターンでなる第１加飾印刷層２２と、１種の線幅と１種の線間隔によって構成される縞状パターンでなる第２加飾印刷層２３とが２．０°の角度で交差してなる例である。また、図５に示す加飾シート３１は、３種の線幅と３種の線間隔によって構成される縞状パターンでなる第１加飾印刷層３２と、この縞状パターンとは異なる３種の線幅と３種の線間隔によって構成される縞状パターンでなる第２加飾印刷層３３とが２．０°の角度で交差してなる例である。このようにすれば、縞状パターンの交差形態を不均一とすることができ、縞状パターンの交差によって構成されるヘアラインもより不均一で深みのあるヘアラインとすることができる。
【００３３】
また、図１や図４、図５で示す縞状パターンは、複数の直線が略平行に並んで構成されたものであるが、線は直線でなくとも良く、隣接線が交わらなければ波状線や環状線であってもよい。
【００３４】
図１や図４、図５に示す加飾シート１１，２１，３１は、加飾印刷層を第１加飾印刷層１２，２２，３２と第２加飾印刷層１３，２３，３３の２層で構成していたが、さらに別の加飾印刷層を積層することができ、２層〜５層の加飾印刷層の積層、即ち縞状パターンの２層〜５層の積層は好ましい実施態様である。５層を超えると最も下側に形成した加飾印刷層が視認し難くなる不都合がある。２層〜３層の積層が深みのあるヘアラインを形成できる点で最も好ましい。
【００３５】
次に第１実施形態の加飾シート１１を備える「加飾成形体」としての加飾ケース１９を説明する。図６で示すように、加飾ケース１９は、「成形体」としての筐体２に加飾シート１１を設けたものである。加飾シート１１の基材シート１が最表面となるように、筐体２の外形面形状に沿って加飾シート１１が固着されている。
【００３６】
ここで加飾シート１１や加飾ケース１９の各構成部材の材質について説明する。なお、以下の説明は後述の各実施形態についても共通である。
【００３７】
基材シート１を形成する樹脂フィルムの材質は、複数の加飾印刷層を積層できれば足り、該基材シートを通じて各種加飾印刷層を視認させる場合は透光性を有する樹脂が用いられ、透明な樹脂であることが好ましい。例えば、ポリカーボネート樹脂の他、ポリエチレンテレフタレート樹脂、アクリル樹脂、トリアセチルセルロース樹脂、ポリエチレン樹脂などが挙げられる。基材シート１の表面には艶消し調に視認させるために、シボ加工が施され凹凸を有するものであってもよい。
【００３８】
第１加飾印刷層１２や第２加飾印刷層１３は、スクリーン印刷やグラビア印刷などの印刷手法により形成されるため、こうした印刷用インキが固化した層でなり、その材質はこれらの印刷に適した材料が用いられる。印刷時のインキかすれや印刷後のインキにじみ等を防ぐため、シリカなどの粉末やワックスを添加した印刷インキを用いることもできる。また、透光性、光沢などの性質を有しているものがよく、さらに着色されていても良い。こうした印刷インキは、金属調の色調を表すためには、パールインキや金属粉含有の金属調インキを用いることが好ましい。また、積層した縞状パターンを視認させるため、黒色や白色、その他の顔料を含み透明性のあるインキを用いることが好ましい。高級感があって重みのあるヘアラインとするためには、黒色系の透明インキを用いることが好ましい。第１加飾印刷層１２用インキと第２加飾印刷層１３用インキは同じであっても異なっていても良く、その色調も同じであっても異なっていても良い。
【００３９】
透明層１５もまたスクリーン印刷やグラビア印刷などで形成されるため、第１加飾印刷層１２等と同様な印刷用インキが用いられる。但し、第１加飾印刷層１２や第２加飾印刷層１３は、細い線幅のヘアラインを実現するためダレが起きにくいインキが用いられるのに対し、透明層１５は、第１加飾印刷層１３によって生じた空隙を埋め、平坦な平面を生じさせるものであることから、それに適したインキが用いられる。また、透明層１５は、第１加飾印刷層３と第２加飾印刷層４よりも透明性の高いインキが用いられる。
【００４０】
成形体としての筐体２は、熱可塑性樹脂や熱硬化性樹脂、ゴム、熱可塑性エラストマー、金属などその用途によって適宜選択される。
【００４１】
次に、加飾シート１１及び加飾ケース１９の製造方法の一例を説明する。基材シート１の片面に、スクリーン印刷にて加飾印刷層１２を形成する。この加飾印刷層１２を覆うようにスクリーン印刷にて透明層１５を形成する。その後加飾印刷層１２を印刷したスクリーン版に対し０．１°〜３．０°の範囲内の所定角度で交差する別のスクリーン版を用いて加飾印刷層１３を印刷形成し、加飾シート１１を得ることができる。次にこの加飾シート１１を基材シート１がキャビティー面に接するようにして筐体２の射出成形金型にインサートし、筐体２を射出成形する。このようにして加飾シート１１と筐体２とを一体成形し、加飾ケース１９を得ることができる。なお、本実施形態では加飾シート１１と筐体２とをインサート成形にて一体化しているが、インモールド成形、圧着などの製法を用いることもできる。さらに加飾シート１１と筐体２との界面に接着剤を介在させて両者の固着力を高めることもできる。
【００４２】
本実施形態の加飾シート１１及び加飾ケース１９の作用効果について説明する。
【００４３】
加飾シート１１及び加飾ケース１９によれば、加飾印刷層１２の裏面側で積層する加飾印刷層１３の縞状パターンが、加飾印刷層１２の縞状パターンを通して見え隠れし、線が途切れたり、太さが変わったりして見えるとともに、濃淡の差を視認することができる。よって、単調な複数の平行線でなるヘアラインではなく、大略一方向へ向かう直線でなるが、線が途切れたり濃淡があったりするような微細パターンでなり不均一に見える深みのあるヘアライン加飾を実現できる。
【００４４】
また、従来技術のような凹凸パターン面にホットスタンプ箔を転写したものと異なり、エアー巻き込みによる品位の低下の無いヘアライン加飾を有することができる。
【００４５】
立体的に交差する縞状パターンを視認することができ、奥行き方向に凹凸外観のあるヘアラインを実現することができる。
【００４６】
第２実施形態〔図７〕：  第２実施形態の加飾シート４１の一例を図７に示す。図７は図２相当の断面図である。第２実施形態の加飾シート４１が、第１実施形態の加飾シート１１と異なるのは、透明層１５を無くし、基材シート１の表裏面に分けて第１加飾印刷層４２と第２加飾印刷層４３を設け、さらに保護層４５と反射層４６を備えた構成としたことである。
【００４７】
本実施形態では、基材シート１の表面に第１加飾印刷層４２を、裏面に第２加飾印刷層４３を設けてある。さらに基材シート１の表面には第１加飾印刷層４２を覆う透明な保護層４５が形成され、裏面には第２加飾印刷層４３を覆う反射層４６が形成されている。
【００４８】
第１加飾印刷層４２や第２加飾印刷層４３の材質、形成方法は第１実施形態で示した第１加飾印刷層１２や第２加飾印刷層１３の材質、形成方法と同じである。保護層４５は、第１加飾印刷層４２を保護するための層であり、印刷やスプレー塗装による塗膜形成など各種塗装によって形成でき、透明性が高い材料が用いられる。
【００４９】
反射層４６は、第１加飾印刷層４２や第２加飾印刷層４３に因らずに金属類似の外観を表出させる層であり、金色、銀色などのパール調の塗膜でなる他、メタリック調の塗膜、アルミニウムなどの金属薄膜でなる。
【００５０】
次に、加飾シート４１及びこの加飾シート４１を備えた加飾ケース４９の製造方法の一例を説明する。基材シート１の一方面に、スクリーン印刷にて第１加飾印刷層４２を形成し、この第１加飾印刷層４２を覆うようにスクリーン印刷にて保護層４５を形成する。その後基材シート１の他方面に、第１加飾印刷層４２を印刷したスクリーン版に対し０．１°〜３．０°の範囲内の所定角度で交差する別のスクリーン版を用いて第２加飾印刷層４３を印刷形成し、この第２加飾印刷層４３を覆うようにスクリーン印刷にて反射層４６を形成する。このようにして加飾シート４１を得ることができる。またこの加飾シート４１を保護層４５がキャビティー面に接するようにして筐体２の射出成形金型にインサートし、筐体２を射出成形すれば、加飾シート４１と筐体２とを一体成形した加飾ケース４９を得ることができる。
【００５１】
第２加飾印刷層４３の裏面側に反射層４６を備えるため、第１加飾印刷層４２と第２加飾印刷層４３を裏面側から明るく照らし出すことができ、金属調の外観を表現することができる。よって金属調のヘアラインを実現できる。そしてさらに、第１加飾印刷層４２や第２加飾印刷層４３に光沢を有するインキを用いると、反射層４６と相俟って光を反射するため、縞状パターンの交差によって生じるヘアラインを凹凸感がありさらに深みのあるものとすることができる。
【００５２】
第３実施形態〔図８〕：  第３実施形態の加飾シート５１の一例を図８に示す。図８は図２相当の断面図である。第３実施形態の加飾シート５１が、第１実施形態の加飾シート１１と異なるのは、加飾シート１１における透明層１５を設けない構成とし、２以上の加飾印刷層を離さずに隣接して設けたことにある。即ち、本実施形態では、第２加飾印刷層５３を第１加飾印刷層５２に対し直接積層している。
【００５３】
次に、第３実施形態の加飾シート５１及びこの加飾シート５１を備えた加飾ケース５９の製造方法の一例を説明する。一方面にシボ目が形成されている基材シート１の他方面に、スクリーン印刷にて第１加飾印刷層５２を印刷形成する。その後、第１加飾印刷層５２を印刷したスクリーン版を所定角度回転して第２加飾印刷層５３を印刷形成して加飾シート５１を得る。またこの加飾シート５１を基材シート１がキャビティー面に接するようにして筐体２の射出成形金型にインサートし、筐体２を射出成形すれば、加飾シート５１と筐体２とを一体成形した加飾ケース５９を得ることができる。
【００５４】
加飾シート５１では、基材シート１にシボ目を有し艶消し調であるので、基材シート１表面における光の反射を防ぎ、質感に優れた高級感のある加飾シート５１及び加飾ケース５９が、印刷工程数が少なく低コストで実現できる。
【００５５】
第４実施形態〔図９、図１０〕：  第４実施形態の加飾シート６１の一例を図９で示す。図９は図２相当の断面図である。第４実施形態の加飾シート６１が、第３実施形態の加飾シート５１と異なるのは、加飾印刷層がさらに１層増えて第３加飾印刷層６４を有し、この第３加飾印刷層６４を、第１加飾印刷層６２、第２加飾印刷層６３の上にさらに重ねて設けたことと、その第３加飾印刷層６４にさらに重ねて反射層６６を設けた構成としたことである。
【００５６】
図１０は、第１加飾印刷層６２から第３加飾印刷層６４の積層状態を模式的に示した図である。第１加飾印刷層６２の縞状パターンと第２加飾印刷層６３の縞状パターンの交差角度をθ２、第１加飾印刷層６２の縞状パターンと第３加飾印刷層６４の縞状パターンの交差角度をθ３、第２加飾印刷層６３の縞状パターンと第３加飾印刷層６４の縞状パターンの交差角度をθ４とすると、θ２、θ３、θ４ともに０．５°〜３．０°の範囲内にある。
【００５７】
次に、第４実施形態の加飾シート６１及びこの加飾シート６１を備える加飾ケース６９の製造方法の一例を説明する。一方面にシボ目が形成されている基材シート１の他方面に、スクリーン印刷にて第１加飾印刷層６２を形成する。次に第１加飾印刷層６２を印刷したスクリーン版に対し０．１°〜３．０°の範囲内の所定角度で交差する別のスクリーン版を用いて第２加飾印刷層６３を形成する。その後、第１加飾印刷層６２を印刷したスクリーン版に対し０．１°〜３．０°の範囲内の所定角度で交差するさらに別のスクリーン版を用いて第３加飾印刷層６４を形成する。なおここで、第２加飾印刷層６２を印刷するスクリーン版と第３加飾印刷層６４を印刷するスクリーン版との交差角度も０．１°〜３．０°の範囲内にあるものとする。最後にこれら第１加飾印刷層６２〜第３加飾印刷層６４を覆うようにスクリーン印刷にて反射層６６を形成する。このようにして加飾シート６１を得る。また、基材シート１がキャビティー面に接するようにしてこの加飾シート６１を筐体２の射出成形金型にインサートし、筐体２を射出成形すれば、加飾シート６１と筐体２とを一体成形した加飾ケース６９を得ることができる。得られた加飾シート６１、及びそれを備えた加飾ケース６９では、３種の加飾印刷層が積層した複雑で細かなヘアラインを有する。
【実施例】
【００５８】
次に実施例及び比較例を示して本発明をさらに詳細に説明するが、本発明は以下の実施例に限定されるものではない。
【００５９】
実施例１：  （加飾シートの製造）第３実施形態に示す加飾シート(51)を製造した。一方面にシボ目が形成されている厚さ１００μｍの透明なポリカーボネート樹脂製の基材シート(1)の他方面に、黒色光沢インキをスクリーン印刷して厚さ５μｍ〜７μｍの第１加飾印刷層(52)を形成した。この第１加飾印刷層(52)は、１本の直線の線幅が３０μｍ〜１００μｍの範囲内で、隣接する直線の間隔が４０μｍ〜１８０μｍの範囲内にあるように複数の直線が略平行に並び縞状パターンを構成するものである。その後、第１加飾印刷層(52)を印刷したスクリーン版に対し０．１°の角度で交差する別のスクリーン版を用いて、第１加飾印刷層(52)と同一のインキにて厚さ５μｍ〜７μｍの第２加飾印刷層(53)を、第１加飾印刷層(52)上に直接形成した。こうして、第１加飾印刷層(52)と第２加飾印刷層(53)の互いの縞状パターンが交差角度θ１＝０．１°で交わる試料１の加飾シート(51)を得た。
【００６０】
（加飾シートの外観評価）  試料１の加飾シート(51)の表面を目視で評価した。大略平行に並ぶ複数の直線状であるが、各直線は途切れたり濃淡があったりするように見え、不均一なヘアラインが認められる場合を「○」、○の状態に加えてより凹凸感があり金属調で深みのあるヘアラインが認められる場合を「◎」、複数の平行線でなる単調で均一なヘアラインが認められたり、大略平行に並ぶ線の集合には見えずヘアラインとは認められない場合を「×」とした。結果を表１に示す。
【００６１】
実施例２〜実施例５：  交差角度θ１を、各々表１で示す角度となるように、第１加飾印刷層(52)と第２加飾印刷層(53)を設けた以外は実施例１と同様にして試料２〜試料５の加飾シート(51)を製造するとともに、実施例１と同じ方法にて、得られた加飾シート(51)を評価した。結果を表１に示す。
【００６２】
比較例１：  第１加飾印刷層の印刷形成後、スクリーン版を１ｃｍ平行移動して、第２加飾印刷層を印刷形成した以外は実施例１と同様にして試料６の加飾シートを製造した。また、実施例１と同じ方法にて、得られた加飾シートを評価した。結果を表１に示す。
【００６３】
比較例２：  第１加飾印刷層の印刷形成後、スクリーン版を３．５°回転し交差角度θ１＝３．５°として第２加飾印刷層を印刷形成した以外は実施例１と同様にして試料７の加飾シートを製造した。また、実施例１と同じ方法にて、得られた加飾シートを評価した。結果を表１に示す。
【００６４】
実施例６〜実施例１０：  第１加飾印刷層(52)の縞状パターンを構成する直線の線幅、線間隔をそれぞれ表２に示すようにして第１加飾印刷層(52)を形成し、第１加飾印刷層(52)と同じ縞状パターンからなる第２加飾印刷層(53)を、第１加飾印刷層(52)と第２加飾印刷層(53)との交差角度θ１を２．０°として交差させて第１加飾印刷層(52)と第２加飾印刷層(53)とを設けた以外は実施例１と同様にして試料８〜試料１２の加飾シート(51)を製造するとともに、実施例１と同じ方法にて、得られた加飾シート(51)を評価した。結果を表２に示す。
【００６５】
比較例３〜比較例６：  第１加飾印刷層の縞状パターンを構成する直線の線幅、線間隔をそれぞれ表３に示すようにして第１加飾印刷層を形成し、第１加飾印刷層と同じ縞状パターンからなる第２加飾印刷層を、第１加飾印刷層と第２加飾印刷層ととの交差角度θ１を２．０°として交差させて第１加飾印刷層と第２加飾印刷層とを設けた以外は実施例１と同様にして試料１３〜試料１６の加飾シートを製造するとともに、実施例１と同じ方法にて、得られた加飾シートを評価した。結果を表３に示す。
【００６６】
実施例１１：  （加飾シートの製造）第４実施形態に示す加飾シート(61)を製造した。実施例１の基材シート(1)のシボ目が形成されていない面に実施例１と同じ黒色光沢インキでスクリーン印刷により第１加飾印刷層(62)から第３加飾印刷層(64)を順次積層形成した。第１加飾印刷層(62)〜第３加飾印刷層(64)を構成する縞状パターンは同一である。その縞状パターンは、直線の数の割合が、線幅５０μｍの直線が１５％、同８０μｍの直線が７０％、同１００μｍの直線が１５％とし、隣接する直線の線間隔は６０μｍ〜１８０μｍの範囲、線のピッチは１１０μｍ〜２３０μｍの範囲となるようにした。第１加飾印刷層(62)と第２加飾印刷層(63)との交差角度θ２＝０．６°、第１加飾印刷層(62)と第３加飾印刷層(64)との交差角度θ３＝２．３°、第２加飾印刷層(63)と第３加飾印刷層(64)との交差角度θ４＝２．９°とした。各加飾印刷層(62,63,64)の厚さは何れも５μｍ〜７μｍである。次に、これらの加飾印刷層(62,63,64)を覆うように銀色パール調インキでスクリーン印刷して反射層(66)を形成して試料１７の加飾シート(61)を製造した。
【００６７】
（加飾シートの評価）  試料１７の加飾シート(61)の表面を実施例１と同じ方法で評価した。結果を表３に示す。
【００６８】
【表１】
2008030266.tif 000003
【００６９】
【表２】
2008030266.tif 000004
【００７０】
【表３】
2008030266.tif 000005
【図面の簡単な説明】
【００７１】
【図１】第１実施形態の加飾シートであり、分図１（Ａ）はその平面図、分図１（Ｂ）は底面図。
【図２】図１のＳＡ−ＳＡ線断面図。
【図３】図１（Ｂ）の部分拡大図。
【図４】第１実施形態の変形例における加飾シートの図１（Ｂ）相当の底面図。
【図５】第１実施形態の別の変形例における加飾シートの図１（Ｂ）相当の底面図。
【図６】第１実施形態の加飾シートを備える加飾ケースの要部拡大断面図。
【図７】第２実施形態における加飾シートの図２相当の断面図。
【図８】第３実施形態における加飾シートの図２相当の断面図。
【図９】第４実施形態における加飾シートの図２相当の断面図。
【図１０】第４実施形態における加飾シートの図３相当の部分拡大図。
【符号の説明】
【００７２】
１    基材シート
２    筐体（成形体）
１１    加飾シート（第１実施形態）
１２    第１加飾印刷層
１３    第２加飾印刷層
１５    透明層
１９    加飾ケース（加飾成形体）
２１    加飾シート（第１実施形態の変更例）
２２    第１加飾印刷層
２３    第２加飾印刷層
３１    加飾シート（第１実施形態の別の変更例）
３２    第１加飾印刷層
３３    第２加飾印刷層
４１    加飾シート（第２実施形態）
４２    第１加飾印刷層
４３    第２加飾印刷層
４５    保護層
４６    反射層
５１    加飾シート（第３実施形態）
５２    第１加飾印刷層
５３    第２加飾印刷層
６１    加飾シート（第４実施形態）
６２    第１加飾印刷層
６３    第２加飾印刷層
６４    第３加飾印刷層
６６    反射層
θ１，θ２，θ３、θ４    交差角度
【図１】
2008030266.tif 000006
【図２】
2008030266.tif 000007
【図３】
2008030266.tif 000008
【図４】
2008030266.tif 000009
【図５】
2008030266.tif 000010
【図６】
2008030266.tif 000011
【図７】
2008030266.tif 000012
【図８】
2008030266.tif 000013
【図９】
2008030266.tif 000014
【図１０】
2008030266.tif 000015